(57)【要約】【課題】幼児が気持ちよく遊ぶことができる安全な玩具を得る。【解決手段】玩具１０は、組立部材１２，１４を含む。組立部材１２，１４の対向面の内部に、空洞部２８，３８を形成し、球状の磁石３０，４０を封入する。組立部材１２，１４を近づけることにより、その対向面において磁石３０，４０が引き付け合い、組立部材１２，１４が連結される。包丁玩具２０で玩具１０を分割することにより、組立部材１２内の隣接する磁石３０どうしが引き付け合い、組立部材１４内の隣接する磁石４０どうしが引き付け合う。組立部材１２，１４を分割・連結することにより、磁石３０，４０が変位し、音を発生させる。【選択図】図４
2011092321.tif 000002
【特許請求の範囲】
【請求項１】
組み合わされることによって食品の形状を構成する複数の組立部材と、前記組立部材の表面に露出しないように前記組立部材の内部に取り付けられる磁石とを含み、
複数の前記組立部材の内部に取り付けられた前記磁石によって前記組立部材が互いに引き付けられることにより前記組立部材が組み合わされて前記食品の形状が構成されるようにした、玩具。
【請求項２】
前記組立部材内に空洞部が形成され、前記空洞部内において変位可能に前記磁石が封入された、請求項１に記載の玩具。
【請求項３】
前記組立部材内に複数の前記空洞部が形成され、前記食品の形状となるように前記組立部材を組み合わせたときに、隣接する前記組立部材に形成された前記空洞部間の距離が同一の前記組立部材に形成された前記空洞部間の距離より小さいことを特徴とする、請求項２に記載の玩具。
【請求項４】
前記空洞部は、円柱状部と、前記円柱状部の一端側の円錐状部とで構成され、前記円錐状部は隣接する前記組立部材と連結される前記組立部材の連結面側に配置され、前記空洞部内に球状の前記磁石が封入された、請求項２または請求項３に記載の玩具。
【発明の詳細な説明】
【技術分野】
【０００１】
この発明は、玩具に関し、特にたとえば、野菜や果物などの食品の形状を有し、包丁玩具などを用いて分割することができるままごと用の玩具に関する。
【背景技術】
【０００２】
図１０は、従来のままごと用の玩具の一例を示す図解図である。玩具１は、複数の分割体３ａ，３ｂ，３ｃ，３ｄを含む。これらの分割体３ａ，３ｂ，３ｃ，３ｄは、互いに分割可能に組み立てられ、全体として芋などのような野菜や果物などの形状となるように形成されている。たとえば、分割体３ａ，３ｂの結合面には凹部４が形成され、分割体３ａ，３ｂの凹部４に面ファスナー５の一方側および他方側が取り付けられる。したがって、分割体３ａ，３ｂの面ファスナー５形成面を密着させることにより、分割体３ａ，３ｂを結合することができる。分割体３ａ，３ｃ間および分割体３ｂ，３ｄ間も、同様にして結合されている。
【０００３】
このような玩具１は、たとえば幼児のままごと遊び用として用いられる。この場合、たとえば玩具の包丁２を分割体３ａ，３ｂ間に入れ、玩具の包丁２を押すことによって、分割体３ａ，３ｂ間を分割することができる。したがって、このような玩具１を用いることにより、料理などを模したままごと遊びをすることができる。なお、面ファスナー５の代わりに磁石を取り付けて、磁気的に分割体３ａ，３ｂ，３ｃ，３ｄを分割可能に組み立てることもできる（特許文献１参照）。
【先行技術文献】
【特許文献】
【０００４】
【特許文献１】特開２００２−２９２１５５号公報
【発明の概要】
【発明が解決しようとする課題】
【０００５】
しかしながら、面ファスナーを用いて分割体を結合した玩具では、玩具の包丁で分割体を分割するときに、ザクザクした感覚があり、あまり気持ちのよいものではない。また、磁石を用いて結合した玩具の場合、磁石が分割体から外れたときに、玩具を用いて遊んでいた幼児が誤って磁石を呑み込む恐れがある。
【０００６】
それゆえに、この発明の主たる目的は、幼児が気持ちよく遊ぶことができる安全な玩具を提供することである。
【課題を解決するための手段】
【０００７】
この発明は、組み合わされることによって食品の形状を構成する複数の組立部材と、組立部材の表面に露出しないように組立部材の内部に取り付けられる磁石とを含み、複数の組立部材の内部に取り付けられた磁石によって組立部材が互いに引き付けられることにより組立部材が組み合わさって食品の形状が構成されるようにした、玩具である。
組立部材の内部に磁石が取り付けられ、磁石が組立部材の表面に露出しない構造であるため、磁石が外れて組立部材から分離することがなくなる。そのため、幼児が誤って磁石を呑み込むことを防止することができる。また、組立部材の内部に取り付けられた磁石によって組立部材が引き付けられるため、組立部材の表面に面ファスナーのような結合用部材を取り付ける必要がない。そのため、包丁玩具を用いて玩具を分割するときに、スムーズに包丁玩具を組立部材間に入れることができる。
【０００８】
このような玩具において、組立部材内に空洞部が形成され、空洞部内において変位可能に磁石を封入することが好ましい。
磁石が組立部材内の空洞部に変位可能に封入されることにより、隣接する組立部材が近づいたときには、隣接する組立部材の磁石が引き付け合うが、組立部材が分割されたときには、隣接する組立部材の磁石によって引き付けられないため空洞部内で変位することができる。したがって、磁石が空洞部内で変位するときに音が発生し、このとき発生する音を楽しむことができる。
【０００９】
空洞部が形成された玩具において、組立部材内に複数の空洞部が形成され、食品の形状となるように組立部材を組み合わせたときに、隣接する組立部材に形成された空洞部間の距離が同一の組立部材に形成された空洞部間の距離より小さくなるようにすることが好ましい。
組立部材に複数の空洞部が形成され、その内部に磁石が封入されることにより、組立部材が単独で存在するときに、隣接する空洞部の磁石が引き付け合った状態が保たれる。また、組立部材が組み合わされて食品の形状になったとき、隣接する組立部材に形成された空洞部間の距離が同一の組立部材に形成された空洞部間の距離より小さいため、隣接する組立部材間で磁石が引き付け合う力が大きくなり、隣接する組立部材側に磁石が変位する。このように、組立部材が組み合わされたときと分割されたときとで、磁石の位置を変えることができ、組立部材の分割・連結により音を発生させることができる。特に、食品の玩具を分割するときに、同一の組立部材に形成された空洞部間で磁石が引き付け合って空洞部の壁を強くたたくため、組立部材に１つの空洞部が形成されたものに比べて、大きい音を発生させることができる。
【００１０】
また、空洞部は、円柱状部と、円柱状部の一端側の円錐状部とで構成され、円錐状部は隣接する組立部材と連結される組立部材の連結面側に配置され、空洞部内に球状の磁石が封入されてもよい。
空洞部の円柱状部の端部に円錐状部を形成することにより、この部分で球状の磁石が転がりやすくなり、組立部材の分割・連結時に磁石が変位しやすくなって、音が発生しやすくなる。
【発明の効果】
【００１１】
この発明によれば、磁石によって隣接する組立部材が引き付けられて、食品の形状を構成するため、包丁玩具で組立部材を分割するときに、面ファスナーで結合した場合に比べて、スムーズな分離が可能となる。さらに、隣接する組立部材を引き付けるための磁石が組立部材の外部に露出せず、磁石が組立部材から分離しない構造であるため、幼児が誤って磁石を呑み込むのを防止することができる。
また、組立部材の内部に空洞部を形成し、この空洞部内で変位可能な磁石を設けることにより、組立部材の分離・連結などによって音を発生させることができ、聴覚的にも楽しみながらままごと遊びをすることができる。
【００１２】
この発明の上述の目的，その他の目的，特徴および利点は、図面を参照して行う以下の発明を実施するための最良の形態の説明から一層明らかとなろう。
【図面の簡単な説明】
【００１３】
【図１】この発明の玩具の一例を示す図解図である。
【図２】図１に示す玩具を包丁玩具で分割する様子を示す図解図である。
【図３】図１に示す玩具の分解斜視図である。
【図４】（Ａ）は図１に示す玩具の内部構造を示す図解図であり、（Ｂ）はその要部図解図である。
【図５】（Ａ）は図１に示す玩具を包丁玩具で分割したときの内部構造を示す図解図であり、（Ｂ）はその要部図解図であり、（Ｃ）はそのときの磁石の配置を示す図解図である。
【図６】（Ａ）は葱の形状を有する玩具の内部構造を示す図解図であり、（Ｂ）は連結部の要部図解図であり、（Ｃ）は分割部の要部図解図である。
【図７】（Ａ）は図６に示す玩具の組立部材を横方向に連結した状態を示す図解図であり、（Ｂ）は組立部材の分解斜視図である。
【図８】組立部材の大きさと空洞部および磁石の数との関係を示す図解図である。
【図９】この発明の玩具として採用することができる野菜のいくつかの例を示す図解図である。
【図１０】従来のままごと用の玩具の一例を示す図解図である。
【発明を実施するための形態】
【００１４】
図１は、この発明の玩具の一例を示す図解図である。玩具１０は、たとえば２つの組立部材１２，１４を含む。組立部材１２，１４は、互いに組み合わされて、たとえば大根などの野菜の形状になるように形成される。一方の組立部材１２は、大根の葉の部分１６と、葉の部分１６に続く根の部分１８とを含む。また、他方の組立部材１４は、一方の組立部材１２の根の部分１８に続く根の先端側の形状に形成される。組立部材１２，１４の連結面は、凹凸のないように平面状に形成され、組立部材１２の連結面と組立部材１４の連結面とは略同じ形状であり、隙間なくかつ表面に凹凸がほとんどなく連結される。組立部材１２の連結面の外周縁および組立部材１４の連結面の外周縁は面取りされて、後述するように、包丁玩具２０を差し込むための案内を構成する。組立部材１２，１４は、たとえば木目の美しいブナ材などの木材が用いられるが、合成樹脂などで形成されてもよい。
【００１５】
この玩具１０は、幼児のままごと遊びなどに用いられ、たとえば木材などで形成された包丁玩具２０で組立部材１２，１４の間を分割することができる。それにより、図２に示すように、玩具１０を分割して、大根の切断を模した遊びを行うことができる。
【００１６】
一方の組立部材１２の根の部分１８は、図３に示すように、葉の部分１６に近い根の第１の部分１８ａと、その先の第２の部分１８ｂとに分割される。組立部材１２の第１の部分１８ａには、第２の部分１８ｂとの接合面に、たとえば２つの円柱状の凹部２２が形成される。これらの凹部２２は、第１の部分１８ａの円形の接合面の直径方向の両側に形成される。
【００１７】
さらに、組立部材１２の第２の部分１８ｂの接合面には、第１の部分１８ａの凹部２２に対応する位置に、円柱状の凹部２４が形成される。組立部材１２の第１の部分１８ａの凹部２２および第２の部分１８ｂの凹部２４には、円柱状の接続部材２６が嵌め込まれる。この接続部材２６によって、第１の部分１８ａと第２の部分１８ｂとが接続されて、組立部材１２が形成される。
【００１８】
さらに、組立部材１２の第２の部分１８ｂには、第１の部分１８ａとの接合面から奥に窪んだ複数の空洞部２８が形成される。空洞部２８は、２つの凹部２４形成部を除いて、第２の部分１８ｂの接合面に均等に配置される。たとえば、図５に示す例では、第２の部分１８ｂの接合面の中心部に１つの空洞部２８が形成され、この空洞部２８を中心として「＋」字状に配置されるように４つの空洞部２８が形成されている。このように、第２の部分１８ｂの接合面の中心部と、この中心部から放射状に配置される位置に空洞部２８を形成することができるが、均等に配置されるのであれば、複数の空洞部２８はどのような位置関係にあってもよい。空洞部２８には、第２の部分１８ｂの接合面側に円柱状部２８ａが形成され、奥の先端側に円錐状部２８ｂが形成される。それにより、図４（Ａ）（Ｂ）に示すように、玩具１０を組み立てたときに、組立部材１４との連結面となる側に、空洞部２８の円錐状部２８ｂが配置される。これらの空洞部２８には、球状の磁石３０が嵌め込まれる。ここで、空洞部２８に嵌め込まれる磁石３０の直径は、空洞部２８の円柱状部２８ａの直径より小さくなるように形成される。したがって、磁石３０は、空洞部２８内において変位可能に収納される。
【００１９】
組立部材１２の第１の部分１８ａと第２の部分１８ｂとは、接続部材２６を介して接合される。したがって、空洞部２８は第１の部材１８ａで塞がれて、磁石３０が空洞部２８の内部で変位可能に収納される。なお、接続部材２６の長さをある程度長く形成し、その長さに対応して、第１の部分１８ａの凹部２２および第２の部分１８ｂの凹部２４の長さを長くすることにより、接続部材２６と第１の部分１８ａとの間の接触面積および接続部材２６と第２の部分１８ｂとの間の接触面積を大きくすることができる。このように、第１の部分１８ａおよび第２の部分１８ｂと接続部材２６との接触面積を大きくすることにより、これらの間の摩擦力が大きくなり、この玩具１０を用いて遊ぶ幼児が第１の部分１８ａと第２の部分１８ｂとを分離することが困難になる。さらに、第１の部分１８ａの凹部２２、第２の部分１８ｂの凹部２４および接続部材２６を接着剤で接着したり、第１の部分１８ａおよび第２の部分１８ｂの接合面を接着剤で接着すれば、幼児が第１の部分１８ａと第２の部分１８ｂとを分離することがさらに困難となる。
【００２０】
組立部材１２と同様に、組立部材１４も、大根の先端に近い第１の部分１４ａと、第１の部分１４ａに続く第２の部分１４ｂとで構成される。組立部材１４の第１の部分１４ａには２つの凹部３２が形成され、それに対応する第２の部分１４ｂの接合面には、２つの凹部３４が形成される。そして、円柱状の接続部材３６が凹部３２および凹部３４に嵌め込まれることによって、第１の部分１４ａと第２の部分１４ｂとが接合され、組立部材１４が形成される。この場合、組立部材１２と同様に、組立部材１４の第１の部分１４ａと第２の部分１４ｂとを接着剤で分離できないように接着してもよい。
【００２１】
組立部材１４の第２の部分１４ｂにも、組立部材１２の第２の部分１８ｂと同様に、複数の空洞部３８が形成される。これらの空洞部３８は、組立部材１２，１４を組み合わせたときに、組立部材１２の空洞部２８に対応する位置に形成される。組立部材１４の第２の部分１４ｂに形成される空洞部３８にも、第１の部分１４ａとの接合面側に円柱状部３８ａが形成され、奥の先端側に円錐状部３８ｂが形成される。それにより、図４（Ａ）（Ｂ）に示すように、玩具１０を組み立てたときに、組立部材１２との連結面となる側に、空洞部３８の円錐状部３８ｂが配置される。これらの空洞部３８にも、球状の磁石４０が嵌め込まれる。球状の磁石４０の直径は、空洞部３８の円柱状部３８ａの直径より小さくなるように形成される。したがって、磁石４０は、第１の部分１４ａと第２の部分１４ｂとで形成される組立部材１４の内部に配置された空洞部３８内において変位可能に収納される。
【００２２】
組立部材１２と組立部材１４とは、組立部材１２の第２の部分１８ｂと組立部材１４の第２の部分１４ｂとが対向するようにして密着させられる。それにより、図４（Ａ）（Ｂ）に示すように、組立部材１２内に形成された空洞部２８と組立部材１４内に形成された空洞部３８とが、互いに対向するように配置される。このとき、組立部材１２内の空洞部２８の円錐状部２８ｂの先端と組立部材１４内の空洞部３８の円錐状部３８ｂの先端との間の距離が、組立部材１２内で隣接する空洞部２８間の距離あるいは組立部材１４内で隣接する空洞部３８間の距離より小さくなるように、空洞部２６の位置および空洞部３８の位置が設定される。
【００２３】
このように、この実施の形態においては、組立部材１２の円柱面を形づくる母線に直交する平面による切り口である組立部材１２の連結面および組立部材１４の連結面は、円形になっている。そして、組立部材１２の空洞部２８の円錐状部２８ｂの頂点が組立部材１２の連結面の近くに位置し、かつ円錐状部２８ｂの側面が組立部材１２の連結面より離れる方向に向けて広がる。一方の組立部材１２の円錐状部２８ｂの頂点は、他方の組立部材１４の円錐状部３８ｂの頂点と向き合うように形成されている。そして、空洞部２８の円柱状部２８ａは、組立部材１２の連結面と略直交する方向に延びる、すなわち組立部材１２の中心線と平行に延びる。而して、磁石３０は、空洞部２８の内面に沿って転動し、円錐状部２８ｂの頂点に移動しやすい。
【００２４】
このように、組立部材１２内の空洞部２８と組立部材１４内の空洞部３８との間の距離を小さくすることにより、組立部材１２，１４を組み合わせたときに、磁石３０と磁石４０とが引き付け合って、空洞部２８，３８の円錐状部２８ｂ，３８ｂの先端側に移動する。このとき、磁石３０，４０は球状に形成されているため、その向きは容易に変位可能であり、磁石３０と磁石４０との間でＮ極とＳ極とが向かい合うように、その向きを変えることができる。そして、磁石３０，４０が引き付け合うことによって、組立部材１２，１４が分離することなく連結されて、大根の形状を保持することができる。
【００２５】
次に、図５（Ａ）（Ｂ）（Ｃ）に示すように、組立部材１２と組立部材１４との間に包丁玩具２０を入れることにより、組立部材１２と組立部材１４との間の距離を大きくすることができる。それにより、組立部材１２，１４間における空洞部２８と空洞部３８との間の距離が、組立部材１２内で隣接する空洞部２８間の距離および組立部材１４内で隣接する空洞部３８間の距離より大きくなる。そのため、組立部材１２内において、隣接する空洞部２８内の磁石３０どうしが引き付け合う。それにより、磁石３０は、空洞部２８内において、空洞部２８の円錐状部２８ｂの先端側から円柱状部２８ａの側面方向に変位する。このとき、隣接する空洞部２８の磁石３０のＮ極とＳ極とが向き合うように、磁石３０の向きが変化する。
【００２６】
同様に、組立部材１２と組立部材１４との間の距離が大きくなると、組立部材１４内において、隣接する空洞部３８内の磁石４０が引き付け合う。それにより、磁石４０は、空洞部３８内において、空洞部３８の円錐状部３８ｂの先端側から円柱状部３８ａの側面方向に変位する。このとき、隣接する空洞部３８の磁石４０のＮ極とＳ極とが向き合うように、磁石４０の向きが変化する。
【００２７】
組立部材１２と組立部材１４とを包丁玩具２０で分割することにより、磁石３０が空洞部２８内で変位し、磁石４０が空洞部３８内で変位するため、磁石３０，４０が空洞部２８，３８の側壁をたたいて、音が発生する。逆に、分離している組立部材１２と組立部材１４とを密着させることにより、図４に示すように、磁石３０が空洞部２８の先端側に移動し、磁石４０が空洞部３８の先端側に移動して、音を発生させる。このように、組立部材１２と組立部材１４とを分割、連結させることにより、音が発生するため、大根を切断するままごと遊びをするときに、聴覚的に音を楽しむこともできる。
【００２８】
この玩具１０においては、磁石３０が組立部材１２内に配置され、その表面に露出していない。また、磁石４０も、組立部材１４内に配置され、その表面に露出していない。しかも、上述のように、幼児にとって、組立部材１２を第１の部分１８ａと第２の部分１８ｂに分離することは困難であり、組立部材１４を第１の部分１４ａと第２の部分１４ｂに分離することは困難である。そのため、磁石３０，４０が組立部材１２，１４から外れることはなく、幼児が磁石３０，４０を誤って呑み込むのを防止することができる。また、組立部材１２，１４は、磁石３０，４０の力で一体化されるため、組立部材１２，１４の間の連結面は、滑らかにすることができる。そのため、包丁玩具２０で組立部材１２，１４を分割するときに、スムーズに包丁玩具２０を組立部材１２，１４間に入れることができる。
【００２９】
なお、玩具１０の形状としては、大根の形状に限らず、図６（Ａ）に示すように、葱の形状としてもよい。この場合、玩具１０は、複数の組立部材５０ａ，５０ｂ，５０ｃ，５０ｄ，５０ｅ，５０ｆに分割される。葱は細長い形状を有しているため、各組立部材５０ａ〜５０ｆには、長手方向の対向する部分に、それぞれ１つずつの空洞部５２が形成され、球状の磁石５４が封入される。
【００３０】
この玩具１０では、各組立部材５０ａ〜５０ｆが長手方向に連結されているとき、図６（Ｂ）に示すように、磁石５４が空洞部５２の円錐状部５２ｂの先端側に配置されて、組立部材５０ａ〜５０ｆの隣接するものに封入される磁石５４どうしが引き付け合う。それにより、組立部材５０ａ〜５０ｆが連結されて、葱の形状が形成される。そして、包丁玩具２０でたとえば組立部材５０ｃと組立部材５０ｄの間を分割したとき、図６（Ｃ）に示すように、組立部材５０ｃと組立部材５０ｄの対向部において引き付け合っていた磁石５４は、空洞部５２の円柱状部５２ａに落下して音を発生させる。そして、分割した組立部材５０ｃと組立部材５０ｄとを再度連結したとき、これらの対向部に磁石５４が変位して音を発生させる。このように、組立部材５０ａ〜５０ｆのそれぞれについて、連結部近傍に複数の空洞部および磁石を配置する必要はなく、１つの空洞部および磁石があれば、玩具１０の分離・連結を行うことができ、しかも音を発生させることができる。
【００３１】
なお、このような細長い形状の玩具１０については、図７（Ａ）に示すように、横方向に複数の組立部材５０ａ〜５０ｆを連結して遊ぶこともできる。この場合、組立部材５０ａ〜５０ｆの隣接するものの空洞部５２に封入された磁石５４が、組立部材５０ａ〜５０ｆの横方向に引き付け合い、組立部材５０ａ〜５０ｆを束のように連結することができる。
【００３２】
このような細長い形状の玩具１０については、連結面の面積が小さいため、円柱状の接続部材３０を用いることができない。そこで、図７（Ｂ）に示すように、磁石５４を封入する空洞部５２が形成された部分とそれを塞ぐ部分とを接着剤などで接着することができる。
【００３３】
なお、大根の形状の玩具のように、各組立部材に複数の空洞部が形成されている場合、玩具１０を分割するときに、各組立部材内の隣接する空洞部間で磁石を引き付け合うため、各組立部材に１つの空洞部が形成されている場合に比べて磁石が空洞部の壁を強くたたき、大きい音を発生させることができる。
【００３４】
また、図８に示すように、野菜や果物などの形状を有する玩具１０の組立部材６０の連結面に沿って、その内側に複数の空洞部６２および磁石６４が配置される場合、その連結面の大きさによって、配置される空洞部６２および磁石６４の数を調整することができる。つまり、複数の組立部材６０を連結するときに、野菜や果物の形状を保持できる程度の引き付け力が得られるように、空洞部６２および磁石６４の数が選択される。
【００３５】
なお、空洞部は必ずしも形成される必要はなく、磁石が組立部材の連結面に露出しないようにして、連結面近傍に埋め込まれてもよい。このような場合、玩具を分割・連結しても音は発生しないが、磁石が組立部材から外れることが防止でき、幼児が磁石を呑み込む恐れがなくなるとともに、スムーズに包丁玩具を組立部材間に入れることができる。
【００３６】
なお、玩具１０の形状としては、図９に示すように、大根の形状、人参の形状、玉ねぎの形状、蕪の形状など、どのような形状を採用してもよい。もちろん、野菜の形状だけでなく、果物の形状や魚の形状など、あらゆる食品の形状の玩具１０であっても、この発明を適用することにより、幼児が気持ちよく遊ぶことができる安全な玩具を得ることができる。
【符号の説明】
【００３７】
１０  玩具
１２  組立部材
１４  組立部材
２０  包丁玩具
２２，２４  凹部
２６  接続部材
２８  空洞部
３０  磁石
３２，３４  凹部
３６  接続部材
３８  空洞部
４０  磁石
５０ａ〜５０ｆ  組立部材
５２  空洞部
５４  磁石
６０  組立部材
６２  空洞部
６４  磁石
【図１】
2011092321.tif 000003
【図２】
2011092321.tif 000004
【図３】
2011092321.tif 000005
【図４】
2011092321.tif 000006
【図５】
2011092321.tif 000007
【図６】
2011092321.tif 000008
【図７】
2011092321.tif 000009
【図８】
2011092321.tif 000010
【図９】
2011092321.tif 000011
【図１０】
2011092321.tif 000012